(57)【要約】本発明は、振動板を用いた骨導スピーカーに関するものである。本発明による振動板を用いた骨導スピーカーは、上下部が開放された筒状の本体と、下部直径が上部直径よりも相対的に小さいマストイドと、前記マストイドの下部に挿入されて前記本体の上部開放部を閉鎖する弾性材質の振動板と、前記マストイドに挿入固定された前記振動板の下側にある前記マストイドの下部に挿入された補助振動板と、前記補助振動板の下側に付着された振動コイルと、前記筒状の本体の内部中央に固定され、中央に中央ホールが備わったスピーカープレートと、前記スピーカープレート上に固定されたリングマグネットと、前記リングマグネット上に縁部が固定され、中央部には、前記スピーカープレートの中央ホールの内側方向に突出された突出部が備わるヨークと、前記本体の下部に固定されて前記本体の下面を閉鎖する音響振動板と、前記音響振動板上に固定されて前記リングマグネットと前記ヨークとの間に挿入された音響コイルと、前記振動コイルおよび前記音響コイルのうち少なくともいずれか一つに所定の電気信号を印加する電気信号入力部とを備えて構成され、本発明による移動電話機は、前記骨導スピーカーが移動電話機の所定部分に備わることを特徴とする。
2006501756.tif 000002
【特許請求の範囲】
【請求項１】
上下部が開放された筒状の本体と；
下部直径が上部直径よりも相対的に小さいマストイドと;
前記マストイドの下部に挿入されて前記本体の上部開放部を閉鎖する弾性材質の振動板と;
前記マストイドに挿入された前記振動板の下側にある前記マストイドの下部に挿入固定された補助振動板と;
前記補助振動板の下側に付着された振動コイルと;
前記筒状の本体の内部中央に固定され、中央に中央ホールが備わったスピーカープレートと;
前記スピーカープレート上に固定されたリングマグネットと;
前記リングマグネット上に縁部が固定され、中央部には、前記スピーカープレートの中央ホールの内側方向に突出された突出部が備わるヨークと;
前記本体の下部に固定されて前記本体の下面を閉鎖する音響振動板と;
前記音響振動板上に固定されて前記リングマグネットと前記ヨークとの間に挿入された音響コイルと;
前記振動コイルおよび音響コイルのうち少なくともいずれか一つに所定の電気信号を印加する電気信号入力部とを備えて構成されることを特徴とする振動板を用いた超小型骨導スピーカー。
【請求項２】
前記振動板は、前記本体の上部に形成された第１溝の内部に挿入された後、フロントキャップによって前記本体に固定されることを特徴とする請求項１記載の振動板を用いた超小型骨導スピーカー。
【請求項３】
前記マストイド、前記補助振動板および前記ヨークの突出部のうち少なくともいずれか一つにハウリング防止ホールが形成されることを特徴とする請求項１記載の振動板を用いた超小型骨導スピーカー。
【請求項４】
前記スピーカープレートは、前記本体の内側中央部に形成された第２溝の内部に挿入固定されることを特徴とする請求項１記載の振動板を用いた超小型骨導スピーカー。
【請求項５】
前記音響振動板の下側には、スピーカー保護キャップがさらに備わることを特徴とする請求項１記載の振動板を用いた超小型骨導スピーカー。
【請求項６】
前記スピーカー保護キャップには、音響ホールがさらに形成されることを特徴とする請求項５記載の振動板を用いた超小型骨導スピーカー。
【請求項７】
前記音響振動板は、ベリリウム銅材質からなることを特徴とする請求項１記載の振動板を用いた超小型骨導スピーカー。
【請求項８】
前記リングタイプマグネットは、ネオジム(Neodymium:Ｎｄ)材質からなることを特徴とする請求項１記載の振動板を用いた超小型骨導スピーカー。
【請求項９】
前記電気信号入力部は、
前記振動板と連結されて前記本体の外部に延長される第１引出し線と;
前記音響振動板と連結されて前記本体の外部に延長される第２引出し線と;
前記本体の外側に備わり、前記第１引出し線および第２引出し線と連結され、前記第１引出し線および第２引出し線のうち少なくともいずれか一つに電気信号を入力する連結端子と;を備えて構成されることを特徴とする請求項１記載の振動板を用いた超小型骨導スピーカー。
【請求項１０】
骨導スピーカーを備える移動電話機であって、
前記骨導スピーカーは、上下部が開放された筒状の本体と、下部直径が上部直径よりも相対的に小さいマストイドと、前記マストイドの下部に挿入されて前記本体の上部開放部を閉鎖する弾性材質の振動板と、前記マストイドに挿入固定された前記振動板の下側にある前記マストイドの下部に挿入された補助振動板と、前記補助振動板の下側に付着された振動コイルと、前記筒状の本体の内部中央に固定され、中央に中央ホールが備わるスピーカープレートと、前記スピーカープレート上に固定されたリングマグネットと、前記リングマグネット上に縁部が固定され、中央部には、前記スピーカープレートの中央ホールの内側方向に突出された突出部が備わるヨークと、前記本体の下部に固定されて前記本体の下面を閉鎖する音響振動板と、前記音響振動板上に固定されて前記リングマグネットと前記ヨークとの間に挿入された音響コイルと、前記振動コイルおよび前記音響コイルのうち少なくともいずれか一つに所定の電気信号を印加する電気信号入力部と、を備えて構成されることを特徴とする移動電話機。
【発明の詳細な説明】
【技術分野】
【０００１】
本発明は、振動板を用いた骨導スピーカーおよびこれを備えた移動電話機に関するもので、詳しくは、空気の振動を通して伝達される声が人体の鼓膜を振動し、聴覚神経を刺激して音響を聴取できるようにする音響スピーカー機能を付加することで、頭蓋骨をなす頭骨を直接振動し、骨導を通して聴覚神経を刺激して音響を聴取できる振動板を用いた両方向骨導スピーカーおよびこれを備えた移動電話機に関するものである。
【背景技術】
【０００２】
一般に、人間の耳に聞こえる声は、波動形態で伝達される。すなわち、人間の耳に伝達された波動形態の声が空気分子を動かして人の鼓膜を振動することで、人間は声を聞けるようになる。
【０００３】
より詳しく説明すると、波動形態の声は、人間の外耳道、すなわち耳孔を通して入って鼓膜を振動することで、鼓膜の内側にある内耳の各細胞が脳に振動を伝達することになり、人間は声を聞けるようになる。
【０００４】
ここで、人間が聞ける声の周波数の範囲は、２０Ｈｚ〜２０，０００Ｈｚである。また、人の聴覚に適正した声の範囲は、１２５Ｈｚ〜８，０００Ｈｚとして会話音域といい、人間が対話するのに主に使用される周波数の範囲は、５００Ｈｚ〜２，０００Ｈｚである。
【０００５】
また、正常人は、２０Ｈｚ〜２０，０００Ｈｚの全ての声を聞けるが、外耳および中耳の異常による聴覚障害者、老人性難聴者および職業性難聴者は、全ての波長または特定の波長の声をよく聞けない。
【０００６】
このような難聴者のための圧電素子を用いた骨導電話機および補聴器用振動子は、２００１年大韓民国登録実用新案公報第２２１５３４号に開示されている。
【０００７】
前記大韓民国登録実用新案公報第２２１５３４号によると、電気的音声信号の印加によって物理的な振動を発生する圧電素子１００と、この圧電素子１００の両側面にそれぞれ備わって、圧電素子１００に電気信号を印加するように導線１３０が連結される振動板１１０と、電極板１２０と、この電極板１２０に連結されて外部に振動を伝達するように密着設置される前面の接触部１４０と、圧電素子１００を保護支持するカバー１５０と、から構成されており、両側の振動板１１０および電極板１２０を通して印加される音声電気信号に応じて、圧電素子１００が圧電効果を用いて音声周波数による振動を発生し、外部に振動信号を発生する圧電素子を用いた骨導電話機および補聴器用振動子が開示されている。
【０００８】
しかしながら、前記圧電素子を用いた骨導電話機および補聴器用振動子は、理論的には可能であるが、圧電素子の特性上、高インピーダンスおよび高入力電圧を用いることで出力音圧が低く、小型化が困難であるため、実用化されるには多くの問題点があった。
【０００９】
また、前述した問題点を解決するために、頭蓋骨をなす頭骨を直接振動することで、骨導を通して聴覚神経を刺激して音響を聴取できる骨導補聴器または骨導電話機が開発された。
【００１０】
このように頭蓋骨をなす頭骨を直接振動することで、骨導を通して聴覚神経を刺激して音響を聴取できる骨導スピーカーは、２００１年９月２１日付にて登録された大韓民国登録特許公報第３１０８９１号に開示されている。
【００１１】
前記大韓民国登録特許公報第３１０８９１号によると、側壁および下部壁を備え、所定空間を限定するフレームと、内側周辺部が前記側壁の上部面に接合され、中央に開口部が形成されたプロテクターと、外側端が前記側壁の上端部と前記内側周辺部の下面との間に配置され、安定した振動を行いながら振動や音の振幅を軽減するダンパーと、前記空間内に位置し、前記ダンパーの内側端を支持する本体部と、この本体部と一体に形成されて下方向に延長された延長部と、磁束を集中するためのヨークと、前記延長部の内側に配置され、上部面が前記本体部の下面に密着される磁石と、前記延長部の内側に配置され、前記ヨークおよび前記磁石と共に磁気回路を構成し、上部面が前記磁石の下部面に密着される上部板と、前記開口部を通して外部に露出されて人体の頭部に直接的に接触される振動接触部と、前記プロテクター、前記ヨーク、前記磁石および前記上部板を一体に固定するための固定手段と、前記上部板、前記磁石の両端および前記延長部の内面の間の間隔に配置され、前記下部壁に下端が固定されたボイスコイルとを含む骨導スピーカーが開示されている。
【００１２】
しかしながら、前記骨導スピーカーは、ヨーク、磁石および上部板が磁界形成部品として作用するとともに、上下に振動することで、ヨーク、磁石および上部板を振動するために高い駆動電圧が要求され、消費電力量が高くなるという問題点があった。
【００１３】
また、前記骨導スピーカーは、ヨーク、磁石および上部板が磁界形成部品として作用するとともに、上下に振動することで、ヨーク、磁石および上部板を振動するために高い磁界が必要になり、特定大きさ以上のヨーク、磁石および上部板が要求された。
【００１４】
したがって、前記骨導スピーカーは、小型化が困難であり、超小型携帯用移動電話機などの無線電話機または超小型ヘッドセット補聴器などには採用できないという問題点があった。
【００１５】
また、前記骨導スピーカーは、ボイスコイルをベース板に固定し、マストイド、ヨーク、磁石および上部板がボイスコイルによって発生した磁界により上下に振動するので、マストイド、ヨーク、磁石および上部板の重さによって使用者の骨導と接触するマストイドの上下振動が困難になり、マストイドの振動が使用者に正確に伝達されないという問題点があった。
【００１６】
また、ヨークおよび磁石などの磁界を形成するための内部部品が骨導スピーカーの上部に備わることで、外部の小さな衝撃によっても容易に故障され、製品の信頼性が低下するという問題点があった。
【００１７】
前述した問題点を解決するために、本出願人は、２００２年８月１６日付にて"振動板を用いた超小型骨導スピーカーおよびこれを備えた移動電話機"を韓国特許庁に特許および実用新案の二重出願をした(特許出願番号:１０-２００２-００４８３１８、実用新案出願番号:２０-２００２-００２４４１７)。
【００１８】
しかしながら、前記振動板を用いた超小型骨導スピーカーは、駆動電圧を低下して消費電力量を節減し、超小型化に有利であり、使用者に振動を正確に伝達し、外部衝撃に対する耐性に優れるなどの効果があるが、使用者が選択的に音響を聴取できないという問題点があった。
【００１９】
したがって、超小型骨導スピーカー機能と共に、音響を聴取できる一般のスピーカー機能をも備えた骨導スピーカーの開発が切実に要求されている。
【発明の開示】
【発明が解決しようとする課題】
【００２０】
本発明の目的は、振動聴取機能および音響聴取機能を兼ね備えた、振動板を用いた骨導スピーカーおよびこれを備えた移動電話機を提供することである。
【課題を解決するための手段】
【００２１】
前記目的を達成するために、本発明による振動板を用いた骨導スピーカーは、上下部が開放された筒状の本体と；下部直径が上部直径よりも相対的に小さいマストイドと;前記マストイドの下部に挿入されて前記本体の上部開放部を閉鎖する弾性材質の振動板と;前記マストイドに挿入された前記振動板の下側にある前記マストイドの下部に挿入固定された補助振動板と;前記補助振動板の下側に付着された振動コイルと;前記筒状の本体の内部中央に固定され、中央に中央ホールが備わったスピーカープレートと;前記スピーカープレート上に固定されたリングマグネットと;前記リングマグネット上に縁部が固定され、中央部には、前記スピーカープレートの中央ホールの内側方向に突出された突出部が備わるヨークと;前記本体の下部に固定されて前記本体の下面を閉鎖する音響振動板と;前記音響振動板上に固定されて前記リングマグネットと前記ヨークとの間に挿入された音響コイルと;前記振動コイルおよび音響コイルのうち少なくともいずれか一つに所定の電気信号を印加する電気信号入力部とを備えて構成されることを特徴とする。
【００２２】
ここで、前記振動板は、前記本体の上部に形成された第１溝の内部に挿入された後、フロントキャップによって前記本体に固定される。
【００２３】
また、前記マストイド、前記補助振動板および前記ヨークの突出部のうち少なくともいずれか一つにハウリング防止ホールが形成される。
【００２４】
また、前記スピーカープレートは、前記本体の内側中央部に形成された第２溝の内部に挿入固定され、前記音響振動板の下側には、スピーカー保護キャップがさらに備わる。
【００２５】
また、前記スピーカー保護キャップには、音響ホールがさらに形成される。また、前記音響振動板は、ベリリウム銅材質からなり、前記リングタイプマグネットは、ネオジム(Neodymium:Ｎｄ)材質からなる。
【００２６】
また、前記電気信号入力部は、前記振動板と連結されて前記本体の外部に延長される第１引出し線と;前記音響振動板と連結されて前記本体の外部に延長される第２引出し線と;前記本体の外側に備わり、前記第１引出し線および第２引出し線と連結され、前記第１引出し線および第２引出し線のうち少なくともいずれか一つに電気信号を入力する連結端子とを備えて構成される。
【００２７】
また、本発明による移動電話機は、骨導スピーカーを備える移動電話機であって、前記骨導スピーカーは、上下部が開放された筒状の本体と、下部直径が上部直径よりも相対的に小さいマストイドと、前記マストイドの下部に挿入されて前記本体の上部開放部を閉鎖する弾性材質の振動板と、前記マストイドに挿入固定された前記振動板の下側にある前記マストイドの下部に挿入された補助振動板と、前記補助振動板の下側に付着された振動コイルと、前記筒状の本体の内部中央に固定され、中央に中央ホールが備わるスピーカープレートと、前記スピーカープレート上に固定されたリングマグネットと、前記リングマグネット上に縁部が固定され、中央部には、前記スピーカープレートの中央ホールの内側方向に突出された突出部が備わるヨークと、前記本体の下部に固定されて前記本体の下面を閉鎖する音響振動板と、前記音響振動板上に固定されて前記リングマグネットと前記ヨークとの間に挿入された音響コイルと、前記振動コイルおよび前記音響コイルのうち少なくともいずれか一つに所定の電気信号を印加する電気信号入力部とを備えて構成されることを特徴とする。
【００２８】
本発明によると、骨導スピーカーが振動聴取機能および音響聴取機能を兼ね備えることで、使用者は、周辺環境によって振動聴取機能および音響聴取機能を選択して使用できるという効果がある。
【００２９】
また、使用者のみならず、使用者の周囲の人も通話内容を聞けることで、携帯電話機の使用上の便宜を図れるという効果がある。
【発明を実施するための最良の形態】
【００３０】
以下、本発明の実施の形態を図面に基づいて説明する。
【００３１】
本発明による振動板を用いた骨導スピーカーは、図１に示すように、上部および下部が開放された円筒状の本体１０を備えており、この本体１０には、一側の上部壁および一側の下部壁に外部と連結された２個の貫通ホール(図示せず)が形成される。
【００３２】
このとき、本体１０の上部には、第１溝１２が形成され、本体１０の中央部には、第２溝１４が形成され、本体１０の下部には、第３溝１６が形成される。
【００３３】
また、本体１０は、超軽量化のためにプラスチック材質からなり、本体１０の所定の外側部には、外部から電気信号が印加される連結端子５２が形成される。
【００３４】
また、本体１０の上部には、下部の直径が上部の直径よりも小さいプラスチック材質のマストイド１８が備わり、所定の弾性力を有するベリリウム銅材質の振動板２２は、マストイド１８の下部に挿入され、本体１０の上部の第１溝１２に係合されて本体１０の上面を閉鎖しており、振動板２２の下側には、マストイド１８の下部に挿入される補助振動板２４が形成される。
【００３５】
また、補助振動板２４の下側には、振動コイル２８が付着されており、本体１０の第１溝１２に係合された振動板２２は、フロントキャップ４４によって固定される。
【００３６】
また、マストイド１８および補助振動板２４には、使用者の耳の響き現象を防止するためのハウリング防止ホール２０，２６がそれぞれ形成される。
【００３７】
このとき、マストイド１８、振動板２２および補助振動板２４は、プレス嵌め方式で締結されており、特に、マストイド１８、振動板２２および補助振動板２４の各接触部では、超音波振動接着および接着剤を用いた補強接着が行われた後、約４時間の間乾燥工程が行われる。
【００３８】
また、補助振動板２４の下側に固定された振動コイル２８は、耐熱性ゴム系列の強力接着剤によって補助振動板２４の下側に下方に付着される。
【００３９】
また、補助振動板２４の下側、すなわち、本体１０の第２溝１４の内部中央には、中央ホール(図示せず)を有する導電性材質のスピーカープレート３０が備わっており、スピーカープレート３０上には、スピーカープレート３０の中央ホールと隣接した位置にネオジム(Neodymium:Ｎｄ)材質のリングマグネット３２が接着剤によって固定される。
【００４０】
また、リングマグネット３２上にヨーク３４の縁部が固定され、ヨーク３４の中央部には、スピーカープレート３０の中央ホールの内側方向に突出された突出部３６が備わる。このとき、ヨーク３４の突出部３６にも、ハウリング防止ホール３８が備わる。
【００４１】
また、音響振動板４０は、本体１０の第３固定溝１６にスピーカー保護キャップ４６によって固定され、音響コイル４２は、音響振動板４０上に固定されるとともに、リングマグネット３２とヨーク３４との間に挿入される。このとき、音響振動板４０上に固定される音響コイル４２は、耐熱性ゴム系列の強力接着剤によって音響振動板４０上に上方に付着固定される。
【００４２】
また、振動コイル２８は、ショットを防止するために、表面が絶縁性材質によりコーティングされ、(+)端子線および(-)端子線をそれぞれ備えた第１引出し線４８に連結されるが、この第１引出し線４８は、上部貫通ホール２０を通過し、本体１０の外側に形成された連結端子５２とはんだ付けなどで連結される。また、音響コイル４２も、ショットを防止するために、表面が絶縁性材質によりコーティングされ、(+)端子線および(-)端子線をそれぞれ備えた第２引出し線５０に連結されるが、この第２引出し線５０は、下部貫通ホール２１を通過し、連結端子５２とはんだ付けなどで連結される。
【００４３】
ここで、図３ａを参照して、連結端子５２の構造および連結端子５２を通して流入される電気信号の入力状態によって振動聴取機能および音響聴取機能が選択的に行われる動作を説明する。
【００４４】
図３ａを参照すると、連結端子５２には、第２引出し線５０の(+)端子線と連結された第１接触部６０と、第２引出し線５０の(-)端子線と連結された第２接触部６２と、第１引出し線４８の(-)端子線と連結された第３接触部６４と、第１引出し線４８の(+)端子線と連結された第４接触部６６と、がそれぞれ離隔形成される。
【００４５】
また、第１接触部６０の第２引出し線５０の(+)端子線は、延長されて電気信号入力部７０のｄ点と連結され、第２接触部６２の第２引出し線５０の(-)端子線および第３接触部６４の第１引出し線４８の(-)端子線は、延長されて電気信号入力部７０のｃ点およびｂ点と連結される。
【００４６】
また、第４接触部６６の第１引出し線４８の(+)端子線は、延長されて電気信号入力部７０のａ点と連結される。
【００４７】
したがって、電気信号入力部７０が、ａ点およびｂ点またはｃ点およびｄ点を選択して特定の電気信号を入力すると、前記特定の電気信号は、各接触部６０，６２，６４，６６を通して振動コイル２８および音響コイル４２のうちいずれか一つに印加される。
【００４８】
すなわち、電気信号入力部７０が、連結端子５２のａ点およびｂ点またはｃ点およびｄ点の選択により、特定の電気信号を振動コイル２８または音響コイル４２に印加すると、前記電気信号は、第３接触部６４および第４接触部６６を経由して第１引出し線４８を通して振動コイル２８に伝達されるか、第１接触部６０および第２接触部６２を経由して第２引出し線５０を通して音響コイル４２に伝達される。
【００４９】
次いで、第１引出し線４８および第２引出し線５０を通して振動コイル２８または音響コイル４２に伝達された電気信号印加により、本体１０に形成されたリングタイプマグネット３２周辺のスピーカープレート３０とヨーク３４との間には、フレミングの左手法則によって上下に振動する所定の物理力Ｆが発生する。
【００５０】
したがって、前記所定の物理力Ｆによって振動コイル２８が上下に移動するが、振動コイル２８の移動によって、本体１０の第１溝１２に固定された弾性材質の振動板２２が振動し、補助振動板２４、振動板２２およびマストイド１８の上下振動は、使用者の頭骨を通して伝達されて人体内の聴神経を刺激し、使用者は声を聞くことができる。
【００５１】
また、前記所定の物理力Ｆによって音響コイル４２が上下に移動するが、音響コイル４２の移動によって、本体１０の第３溝１６に固定された弾性材質の音響振動板４０が振動し、音響振動板４０の振動によって発生した音響は、スピーカー保護キャップ４６によって反射された後、ヨーク３４の突出部３６に形成されたハウリング防止ホール３８、補助振動板２４のハウリング防止ホール２６およびマストイド１８のハウリング防止ホール２０を通して使用者の耳に伝達され、使用者は音響を直接聴取することができる。
【００５２】
次に、図３ｂを参照して、連結端子５２を通して流入される電気信号の入力状態によって振動聴取機能および音響聴取機能が同時に行われる動作を説明する。
【００５３】
図３ｂを参照すると、連結端子５２には、第２引出し線５０の(+)端子線と連結された第１接触部６０と、第２引出し線５０の(-)端子線と連結された第２接触部６２と、第１引出し線４８の(-)端子線と連結された第３接触部６４と、第１引出し線４８の(+)端子線と連結された第４接触部６６と、がそれぞれ離隔形成される。
【００５４】
また、第１接触部６０の第２引出し線５０の(+)端子線は、延長されて電気信号入力部７０のｄ点と連結され、第２接触部６２の第２引出し線５０の(-)端子線および第３接触部６４の第１引出し線４８の(-)端子線は、延長されて電気信号入力部７０のｃ点およびｂ点と連結される。
【００５５】
また、第４接触部６６の第１引出し線４８の(+)端子線は、延長されて電気信号入力部７０のａ点と連結され、前記ｄ点およびａ点は相互連結される。
【００５６】
また、前記ｂ点は、延長されてＥ点を形成し、前記ａ点は、延長されてＦ点を形成する。
【００５７】
したがって、電気信号入力部７０が、Ｅ点およびＦ点を選択して特定の電気信号を入力すると、前記特定の電気信号は、各接触部６０，６２，６４，６６を通して振動コイル２８および音響コイル４２にそれぞれ印加される。
【００５８】
次いで、第１引出し線４８および第２引出し線５０を通して振動コイル２８または音響コイル４２に伝達された電気信号印加により、本体１０に形成されたリングタイプマグネット３２周辺のスピーカープレート３０とヨーク３４との間には、フレミングの左手法則によって上下に振動する所定の物理力Ｆが発生する。
【００５９】
したがって、前記所定の物理力Ｆによって振動コイル２８が上下に移動するが、振動コイル２８の移動によって、本体１０の第１溝１２に固定された弾性材質の振動板２２が振動し、補助振動板２４、振動板２２およびマストイド１８の上下振動は、使用者の頭骨を通して伝達されて人体内の聴神経を刺激し、使用者は声を聞くことができる。
【００６０】
また、前記所定の物理力Ｆによって音響コイル４２が上下に移動するが、音響コイル４２の移動によって、本体１０の第３溝１６に固定された弾性材質の音響振動板４０が振動し、音響振動板４０の振動によって発生した音響は、スピーカー保護キャップ４６によって反射された後、ヨーク３４の突出部３６に形成されたハウリング防止ホール３８、補助振動板２４のハウリング防止ホール２６およびマストイド１８のハウリング防止ホール２０を通して使用者の耳に伝達され、使用者は音響を直接聴取することができる。
【００６１】
図２は、本発明の第２実施形態による音響振動板を用いた骨導スピーカーを説明するための断面図であり、図１と同一の部分には同一の符号を与え、図１と重複する構成および作用に対する説明は省略する。
【００６２】
本発明の第２実施形態による音響振動板を用いた骨導スピーカーは、図２に示すように、ヨーク３４の突出部３６に形成されたハウリング防止ホール３８を閉鎖するとともに、スピーカー保護キャップ４６に複数の音響ホール５４を追加した点に特徴がある。
【００６３】
したがって、電気信号入力部の電気信号入力に応じてリングタイプマグネット３２周辺に発生した所定の物理力Ｆによって音響コイル２８が上下に移動し、音響コイル２８の移動によって、本体１０の第３溝１６に固定された弾性材質の音響振動板４０が振動し、音響振動板４０の振動によって発生した音響は、スピーカー保護キャップ４６を通して外部に放出され、マストイド１８の反対方向にある使用者の耳に伝達される。
【００６４】
図４は、本発明による音響振動板を用いた骨導スピーカーを備えた移動電話機を説明するための図である。
【００６５】
本発明による音響振動板を用いた骨導スピーカーを備えた移動電話機は、図４に示すように、本体部８４、カバー８６および振動板を備えた骨導スピーカー８０を含んでおり、本発明による骨導スピーカー８０が移動電話機のカバー８６の内側上端部に備わることで、使用者は振動および音響を同時に聴取することができる。また、カバー８６の外側のケース上に溝８２を形成し、外部でも音響ホール５４を通して放出された音響を聞くことができる。
【００６６】
本発明は、具体的な例に対してのみ説明したが、本発明の技術思想内で多様な変形および修正が可能であることは当業者にとって明白であり、この変形および修正が添付された特許請求の範囲に属することは当然である。
【図面の簡単な説明】
【００６７】
【図１】本発明の第１実施形態による振動板を用いた骨導スピーカーを説明するための断面図である。
【図２】本発明の第２実施形態による振動板を用いた骨導スピーカーを説明するための断面図である。
【図３ａ】図１および図２の振動板を用いた骨導スピーカーに電気的信号を印加する一つの状態を説明するための構成図である。
【図３ｂ】図１および図２の振動板を用いた骨導スピーカーに電気的信号を印加する他の状態を説明するための構成図である。
【図４】図１の振動板を用いた骨導スピーカーを備えた移動電話機を説明するための図である。
【図１】
2006501756.tif 000003
【図２】
2006501756.tif 000004
2006501756.tif 000005
2006501756.tif 000006
【図４】
2006501756.tif 000007
【国際調査報告】
2006501756.tif 000008